(57)【要約】      （修正有）【課題】従来の画鋲は、針先が鋭角針のため、掲示対象物に掲示物を、掲示する際に、刺し込み易い対象物は、抜けやすく、刺し込み難い対象物は、抜き難い難点があった。このため、掲示対象物を選ぶことなく、刺しこみ易く、抜きやすく、しかも、掲示対象物を痛めることなく、掲示物を長期に渡り、安全に掲示できるようにする。【解決手段】ねじ画鋲であり、針先はねじ針１で、ねじ頭２は、丁字又は円盤状で、円柱３の中心に回転しないように挿入される、その円柱３に、垂直するツマミ４で、構成したことを特徴とする、ねじ画鋲。【選択図】図１
0003104108.tif 000002
【実用新案登録請求の範囲】
【請求項１】
本考案の、ねじ画鋲は、ねじ針（１）と円柱（３）と垂直板状のツマミ（４）で構成する、指でツマミ（４）を廻すことで、ねじ針（１）の出入りが行われ、刺し込み止めと、緩め抜き取り、行為ができることを特徴とする、ねじ画鋲
【請求項２】
ねじ針（１）の先端は鋭角突起のねじ針（１）であり、該ねじ針（１）の他端はねじ頭（２）が円柱（３）に挿入し固定され容易に回転しない構造とする、請求項１記載の、ねじ画鋲
【考案の詳細な説明】
【技術分野】
【０００１】  本考案は、壁面に物を固定するための画鋲であり、ねじ画鋲としたことで、通常使用販売されている画鋲では、固定できない壁面や、掲示する重量物も、簡単に固定でき、道具を使わずに取り易い画鋲である。
【背景技術】
【０００２】  ねじ鋲「木ねじ・鉄板ビス・リベット・よーおれ・うわじき鋲」等は物を固定したり、物を吊るす目的である。【０００３】  ねじ鋲「蝶ねじ・ひーとん・よーおれ」等は、締付や解除に、工具を使わなくとも人の手で簡単に、締付と解除ができる構造である。【０００４】  前記の品物は、いずれも通常の画鋲として、使用するには不向きである。【０００５】  通常、画鋲として使用されているものは、針先が滑らかな鋭角針状の為に、柔らかいものには刺しやすいが、抜け易い欠点があり、硬い物には差し込みにくく、取り難い欠点がある。【０００６】  通常、画鋲を刺しこむ対象物は「掲示板・黒板・木質合板・石膏ボード・モルタル壁・真壁」等である。【０００７】  前記の掲示板と黒板と木質合板は通常の画鋲で対応できる素材である。【０００８】  前記の石膏ボードとモルタル壁と真壁は通常の画鋲での対応は不向きである。【０００９】  本考案に類似する、特許文献に掲載されているねじ画鋲としては、画鋲の針部にねじ又はそれに順ずる突起物を設けて、天部の任意両端を上部方向に折り曲げ、ねじ回し（ドライバー）の溝のようにした。構造で、一般金属画鋲を器具を用いることなく、指先で簡単に取り除くことを目的としている。（例えば特許文献１参照）【００１０】  なお、本考案に類似する特許文献に掲載されている螺旋状画鋲として、石膏ボード等の素材に対して取付強度を確保して簡単に差し込み、取り外す構造であるが、螺旋針では不向きな対象物もある。（例えば特許文献２参照）【００１１】
【特許文献１】特開平１０−０３５１９０
【特許文献２】特開２００２−３６２０９４
【考案の開示】
【考案が解決しようとする課題】
【００１２】  掲示場所「掲示板・黒板・木質合板」等では、通常の画鋲で、刺し止めは容易でも、画鋲を取り除くことは、容易でない画鋲がある。【００１３】  掲示場所「石膏ボード・モルタル壁・真壁」等では、通常の画鋲で刺し止めることは容易であるが、「石膏ボード・モルタル壁・真壁」等は構造上、画鋲の保持能力が小さい。【００１４】  前記の掲示物の、いずれの素材でも、本考案の画鋲は、刺し込み易く、取り除きやすく、しかも画鋲の、素材に対する保持能力を、最大に発揮できる、構造とする。
【課題を解決するための手段】
【００１５】  本考案のねじ画鋲は、ねじ画鋲を回転することで、掲示する物と場所と対象物「掲示板・黒板・木質合板石膏ボード・モルタル壁・真壁」等を、簡単に固定したり、取り外すことができるものである。【００１６】  本考案の、ねじ画鋲は、ねじ針１と円柱３とツマミ４で構成される。ねじ針１の先端は、鋭角突起なねじ針１で、該ねじ針１のねじ頭２は、丁字又は角又は円盤又はリング状とした構造で、該ねじ頭２の丁字又角又は円盤又はリング状の部分は、円柱３の中心に挿入し固定した構造である。【００１７】  円柱３は、掲示物を安定に固定する物であり、ツマミ４は、指で、ツマミ４を時計の回転方向で、締めつけて取り付けを行い、逆回転で、緩めて取り外しを行う、工具等を使うことなく簡単に固定したり、取り外す為のものである。
【考案の効果】
【００１８】    本考案のねじ画鋲は、掲示する物と場所と対象物「掲示板・黒板・木質合板石膏ボード・モルタル壁・真壁」等により、ねじ画鋲を選択することで、簡単に固定したり、取り外すことができるものであり。従来掲示場所の素材によっては、掲示できなかった場所でも安心して安全に掲示できる。【００１９】  本考案のねじ画鋲は、通常の掲示物を掲載するために使用するが、ねじ画鋲の特徴を利用して、建築資材の仮止め用に使用すると、工具を使わず仮止めでき便利である。
【考案を実施するための最良の形態】
【００２０】  本考案品を、掲示場所に掲示する祭に、ねじ画鋲で、固定と、取り外しを、最適なものにするよう考慮すれば、掲示場所に対応する最適な、ねじ画鋲を選択することが必要である。【００２１】  掲示場所が固い素材には、ねじ針が太く短い針がよい。【００２２】  掲示場所が柔らかい素材には，ねじ針が細く長い針が良い。【００２３】  本考案の、ねじ画鋲の、外観は凹凸のある円柱３で廻しやすくしたり、また、ツマミ４の板状部分の形状を、半円型５又は蝶型・ハート型６としてもよい。【００２４】  ねじ針１のねじ頭２を丁字型に加工した状態で、円柱３の中心に挿入するが、ねじ針のねじ頭２を垂直な円盤状として、円柱３の中心に挿入してもよい。【００２５】  ねじ針１の素材は、ねじに加工できる素材であればいすれの素材でもよいが，通常は真鍮、鉄、プラスチック等の素材が用いられる。【００２６】  本考案の、ねじ画鋲は、画鋲の長所を利用すると共に、画鋲の欠点は、ねじの長所を利用したことである。
【実施例１】
【００２７】  以下、本考案の実施例について図１〜図６を参照しながら説明する、ここで、各実施例中、同一機能を有する要素は同一符号を付して説明を省略若しくは簡略する。
先ず、図１は本考案のねじ画鋲の全体を示す斜視図で、大きさは使用目的に合わせて定めるものとする、寸法等は全て記載を省略したが、各部分の寸法は使用目的により判断できるものと思う。
【実施例２】
【００２８】  実施例２、図２〜図４はねじ針１のねじ頭２が丁字型であり、図５、図６はねじ頭２が円盤状の形状としたもの。
【実施例３】
【００２９】  実施例３、図７はツマミ４の板状ツマミを半円型５とした形状である。
【実施例４】
【００３０】  実施例４、図８はツマミ４の板状ツマミを蝶型又はハート型６とした形状である。
【実施例５】
【００３１】  実施例５、ねじ画鋲の全体をプラスチックで一体成形してもよい。
【図面の簡単な説明】
【００３２】
【図１】    この考案の実施例で全体を示す斜視図である。（実施例１）
【図２】    この考案の全体を示す正面図である。
【図３】    この考案の全体を示す側面図である。
【図４】    この考案の全体を示す背面図である。
【図５】    この考案のねじ頭２が円盤状の側面図である。
【図６】    この考案のねじ頭２が円盤状の正面図である。
【図７】    この考案の半円型ツマミ５の形状を示す。
【図８】    この考案の蝶型・ハート型ツマミ６の形状を示す。
【符号の説明】
【００３３】１    ねじ針
２    ねじ頭
３    円柱
４    ツマミ
５    半円型ツマミ
６    蝶型・ハート型ツマミ
【図１】
0003104108.tif 000003
【図２】
0003104108.tif 000004
【図３】
0003104108.tif 000005
【図４】
0003104108.tif 000006
【図５】
0003104108.tif 000007
【図６】
0003104108.tif 000008
【図７】
0003104108.tif 000009
【図８】
0003104108.tif 000010